(57)【特許請求の範囲】
【請求項１】
便器１３取付用のプロテクターケース１に、便器１３に洗浄水を供給する給水筒２３を設け、給水筒２３に摺動筒２６を、液密で前後摺動可能に嵌合し、摺動筒２６の内端部２７を、便器１３の洗浄水供給口に液密に圧接できるように、摺動筒２６を便器１３の洗浄水供給口に向かって押進められるように形成し、摺動筒２６に当接部２９を設け、プロテクターケース１側に、当接部２９に当接する抑止片４８を設け、抑止片４８を、摺動筒２６の内端部２７が、液密に便器１３の洗浄水供給口に圧接されると共に、摺動筒２６の内端部２７が、便器１３を破損することのない押圧力で押圧できる抑止片４８に形成した便器取付用プロテクターケース。
【発明の詳細な説明】
【０００１】
【発明の属する技術分野】
本発明は、便室に設置して、便器を簡単に取付けられるように形成した便器取付用プロテクターケースに関する。
【０００２】
【従来の技術】
従来、便室の床面に孔を設け、この孔に板金で形成した便器取付用プロテクターケースを設置し、この便器取付用プロテクターケースに、陶器製の便器を取付るようにすることは、本出願人らがさきに出願して特許された特許第２５１５６２９号公報に記載されている。
【０００３】
そして、前記公報に記載されたプロテクターケースは、プロテクターケース内に支持された便器の、洗浄水供給口に接続する給水管を、給水管に設けた押圧装置で押圧して、便器の前端側を押圧し、便器の尾端側をプロテクターケースの後端に押し付けて固定するものである。
【０００４】
【発明が解決しようとする課題】
前記便室の床面に孔を設けて、この孔に設置した便器取付用プロテクターケースは、簡単に便器を取付けることができて便利である。
【０００５】
しかしながら、給水管を便器の洗浄水供給口に圧接させるため、その圧接する力が弱いと、便器が所定の位置に固定できず、また、給水管が便器の洗浄水供給口に密接せず、洗浄水の一部が便器を洗浄せずに、直接プロテクターケース内に流入することともなる。
【０００６】
そして、給水管を便器に圧接する力が強すぎると、便器を破損する虞れがある。
したがって、経験の少ない作業員には、プロテクターケースに便器を取付ける作業は難しい作業となる。
【０００７】
本発明は、前記事項に鑑みなされたものであり、経験の少ない作業員であっても、便器を容易に取付けることのできるプロテクターケースとすることを課題とする。
【０００８】
【課題を解決するための手段】
本発明は、便器１３取付用のプロテクターケース１に、便器１３に洗浄水を供給する給水筒２３を設け、給水筒２３に摺動筒２６を、液密で前後摺動可能に嵌合し、摺動筒２６の内端部２７を、便器１３の洗浄水供給口に液密に圧接できるように、摺動筒２６を便器１３の洗浄水供給口に向かって押進められるように形成し、摺動筒２６に当接部２９を設け、プロテクターケース１側に、当接部２９に当接する抑止片４８を設け、抑止片４８を、摺動筒２６の内端部２７が、液密に便器１３の洗浄水供給口に圧接されると共に、摺動筒２６の内端部２７が、便器１３を破損することのない押圧力で押圧できる抑止片４８に形成して便器取付用プロテクターケースとした。
【０００９】
【発明の実施の形態】
以下図に基づいて本発明の実施の形態の説明をする。図１〜図８は、本発明の一実施の形態の説明用の図である。
【００１０】
そして、この実施の形態は、前記従来の技術の項に記載した特許発明と、同一の構成も多いので、それらの具体的構造については、その記載を一部省略する。この実施の形態の陶器製の便器１３取付用のステンレススチール製の板金で形成したプロテクターケース１は、耐火カバー４が装着され、底部を貫通して排水口６が設けてあり、また、火災等による高温時に排水口６などを閉ざすための温度ヒューズ５が設けてある。
【００１１】
そして、プロテクターケース１の前端の上部には、図１に示すように、給水口駆動部２１が設けてある。
そして、前記給水口駆動部２１は、以下に述べるように形成されている。
【００１２】
すなわち、前記プロテクターケース１の前端の上部に設けた図示してない孔には、図１に示すように、図８に示す、便器１３に洗浄水を供給する給水筒２３の基部（鍔２４を設けた側）が挿入され、プロテクターケース１の外側に突出した給水筒２３の基部に、給水ソケット２５が螺合されて、給水筒２３の鍔２４と、給水ソケット２５で、プロテクターケース１の上部を挟み付け、給水筒２３がプロテクターケース１の内側に取付けられている。
【００１３】
そして、給水筒２３には、図７に示す摺動筒２６が、図１に示すＯリング２８を介して、液密で前後摺動可能に外嵌してある。
そして、前記摺動筒２６は、内端部２７に、パッキン保持部が設けてあり、この内端部２７で保持した図示してない環状パッキンを介して、摺動筒２６の内端部２７を、便器１３の洗浄水供給口に液密に圧接できるように形成してある。
【００１４】
そして、前記摺動筒２６の上部には、縦方向に、後記するピニオン４０が噛み合うラック４１が設けてあり、摺動筒２６の側方には、外方に突出する当接部２９が設けてあり、摺動筒の内周面には、前記Ｏリング２８を内嵌する内嵌用溝が設けてある。
【００１５】
そして、プロテクターケース１に設けられた第１支持板２２ａには、図４〜図６に示すように、第２支持板２２ｂが設けてあり、第２支持板２２ｂには、第３支持板２２ｃが設けてある。
【００１６】
そして、図４、図５に示す第３支持板２２ｃに、回動可能に設けたウォーム３６には、ウォーム歯車軸３９の一端部に固定して取付けたウォーム歯車３８が噛み合わされており、前記ウォーム歯車軸３９の他端部には、ピニオン４０が固定して取付けてある。
【００１７】
そして、前記ピニオン４０は、摺動筒２６の上部に設けたラック４１に噛み合わせている。
さらに、第２支持板２２ｂには、図４〜図６に示すように、抑止片４８が設けてある。
【００１８】
そして、この実施の形態は、図５に示すウォーム頭部３７を回動させると、ウォーム３６が回動し、このウォーム３６に噛み合わされたウォーム歯車３８が回動する。
【００１９】
そうすると、ウォーム歯車軸３９も回動し、ウォーム歯車軸３９の他端部に固定したピニオン４０が回動する。そして、ピニオン４０に噛み合ったラック４１が前進、または後進する。
【００２０】
そして、ラック４１の設けられた摺動筒２６が前進、または後進する。
そして、摺動筒２６が所定の距離前進すると、摺動筒２６に設けた当接部２９が、抑止片４８に当接して、摺動筒２６の前進は停止される。
【００２１】
そして、この摺動筒２６の前進が停止された位置で、摺動筒２６の内端部２７は、内端部２７に介挿した図示してないパッキンを、便器１３の洗浄水供給口に液密に必要な押圧力で押圧すると共に、陶器の便器１３が破損しない押圧力で押圧し、さらに、便器１３がプロテクターケース１の所定の位置に固定できる押圧力で押圧されるように形成されたものである。
【００２２】
【発明の効果】
本発明は、便器取付用のプロテクターケース１に、摺動筒２６を便器１３の洗浄水供給口に向かって押進められるように形成し、摺動筒２６に当接部２９を設け、プロテクターケース１側に、当接部２９に当接する抑止片４８を設けたものである。
【００２３】
そして、抑止片４８を、摺動筒２６の内端部２７が、液密に便器１３の洗浄水供給口に圧接されると共に、摺動筒２６の内端部２７が、便器１３を破損することのない押圧力で押圧できる抑止片４８としたものである。
【００２４】
したがって、本発明は、便器取付用プロテクターケース１に便器１３を取付けるとき、摺動筒２６の当接部２９が抑止片４８に当接して、摺動筒２６の前進が停止されるまで、摺動筒２６を前進させれば、摺動筒２６の内端部２７が、液密に便器１３の洗浄水供給口に圧接され、そして、その圧接する力は、便器１３を破損することのない力である。
【００２５】
よって、本発明の便器取付用プロテクターケース１に対する便器１３の取付けは、経験のほとんどない作業員でも、容易に取付けられるものである。
【図面の簡単な説明】
【図１】本発明の一実施の形態の説明用の一部断面とした側面図
【図２】本発明の一実施の形態の説明用の平面図
【図３】本発明の一実施の形態の説明用の一部断面とした正面図
【図４】本発明の一実施の形態の説明用の要部の平面図
【図５】本発明の一実施の形態の説明用の要部の正面図
【図６】本発明の一実施の形態の説明用の要部の側面図
【図７】本発明の一実施の形態の説明用の摺動筒の一部断面とした側面図
【図８】本発明の一実施の形態の説明用の給水筒の一部断面とした側面図
【符号の説明】
１    プロテクターケース
２    プロテクターケースカバー
３    化粧リム
４    耐火カバー
５    温度ヒュズ
６    温水口
１３    便器
１４    フランジ
２１    給水口駆動部
２２ａ  第１支持板
２２ｂ  第２支持板
２２ｃ  第３支持板
２３    給水筒
２４    鍔
２５    給水ソケット
２６    摺動筒
２７    内端部（パッキン保持部）
２８    Ｏリング
２９    当接部
３６    ウォーム
３７    ウォーム頭部
３８    ウォーム歯車
３９    ウォーム歯車軸
４０    ピニオン
４１    ラック
４８    抑止片
【図１】
0003901313.tif 000002
【図２】
0003901313.tif 000003
【図３】
0003901313.tif 000004
【図４】
0003901313.tif 000005
【図５】
0003901313.tif 000006
【図６】
0003901313.tif 000007
【図７】
0003901313.tif 000008
【図８】
0003901313.tif 000009